(57)【特許請求の範囲】
【請求項１】
締付け軸とレバーを具えた頭部とナットと回止めワッシャーとから構成されるクイックレバー締付装置において、前記回止めワッシャーを、その外周縁に回止め係合片部とレバー係止片部を相互に離隔し、かつ一体に接続形成し、該回止めワッシャーを、前記レバーを具えた頭部の締付け面と被締付け部との間に配備して挟持時に前記レバーを軸受する頭部の回止めを行い誤作動を防止するクイックレバー締付装置。
【請求項２】
回止めワッシャーは、中心に締付け軸の嵌入孔を開口し、外周縁に相互に離隔して、レバーの軸部屈曲端側外周面に係合する係合溝を具えたレバー係止片部と、被締付け部に形成された回止め凹陥部に嵌入する回止め係合片部とを屈曲成形してなる請求項１のクイックレバー締付装置。
【発明の詳細な説明】
【０００１】
【発明が属する技術分野】
この発明は、レバーを回転して頭部による締め付けが行えないようにして誤作動を防止したクイックレバー締付装置に関するものである。
【０００２】
【従来の技術】
従来、自転車においてクイックレバーによる締付機構、すなわち、クイックレバーシステムは、前後の車輪軸をフレームとの取り外し自在の取付機構に、サドルの上下調節締付け等にと広く用いられるものであって、レバーを軸方向に半回転させ、締付け軸の一端に被嵌する頭部をレバーと一体のエキセンカムにより移動し、その頭部と締付け軸に螺合するナットとの間隔を拡縮し、その間を締付け固持するものである。
【０００３】
【発明が解決しようとする課題】
前述のように、従来のクイックレバーシステムでは、前後の車輪軸の固定、サドルポストの固定等を行うものであったが、ナットは手で回すことができるようになっているから、正しい方法は、先ず、クイックレバーを緩めた状態でナットを手で回して仮締め位置まで締め、それから、レバーを軸方向に半回転して本締めを行うものであった。しかし、専門知識をもつ、サイクリスト、アマチュアロードレーサー等は別として、このことを知らない一般ユーザーは、レバーをぐるぐると回転して行う不完全なナット締めを完全な締付け状態であると錯覚を起こしてしまうものであった。
【０００４】
この発明は、かかる観点から、レバーは、締付け軸が回転する方向には全く回転できないようにし、レバーを軸方向に半回転して軸方向にスライドできるだけとし、従来の欠点である締付け誤作動を防止することを目的になされたものである。
【０００５】
【課題を解決するための手段】
締付け軸とレバーを具えた頭部とナットと回止めワッシャーとから構成されるクイックレバー締付装置において、前記回止めワッシャーを、その外周縁に回止め係合片部とレバー係止片部を相互に離隔し、かつ一体に接続形成し、該回止めワッシャーを、前記レバーを具えた頭部の締付け面と被締付け部との間に配備して挟持時にレバーを軸受する頭部の回止めを行い誤作動を防止するクイックレバー締付装置にある。
【０００６】
回止めワッシャーは、中心に締付け軸の嵌入孔を開口し、外周縁に相互に離隔して、レバーの軸部屈曲端側外周面に係合する係合溝を具えたレバー係止片部と、被締付け部に形成された回止め凹陥部に嵌入する回止め係合片部とを屈曲成形してもよいものである。
【０００７】
【発明の実施の形態】
締付け軸とレバーを具えた頭部とナットと回止めワッシャーとから構成されるクイックレバー締付装置において、前記回止めワッシャーは、中心に締付け軸の嵌入孔を開口し、外周縁に相互に離隔して、レバーの軸部屈曲端側の外周面に係合する係合溝を具えたレバー係止片部と、被締付け部に形成された回止め凹陥部に嵌入する回止め係合片部とを屈曲成形し、該回止めワッシャーを前記クイックレバー締付装置における頭部の締付け面と被挟持体との間に配備して挟持時にレバーを軸受する頭部の回止めを行い誤作動を防止するクイックレバー締付装置。
【０００８】
【実施例】
以下、この発明の誤作動を防止したクイックレバー締付装置を実施例として示す図面により説明すると、実施例の誤作動を防止したクイックレバー締付装置１は、締付け軸２と、レバー３を具えた頭部４と、ナット５と、回止めワッシャー６とから構成されるものである。
【０００９】
前記締付け軸２は、一端を頭部４を被冠してスライド自在に嵌合し、その横断方向にエキセンカム軸受孔２ａ１を開口しているピストン部２ａと、他端に前記ナット５を螺合するネジ部２ｂとを形成して有する。
【００１０】
前記レバー３は、レバー部３ａに対してＬ型に屈曲した軸部３ｂを有し、その軸部３ｂは、レバー部３ａ側を大径軸部３ｂ１に形成し、先端側を小径軸部３ｂ２に形成し、中間を大径軸部３ｂ１の外形内においてエキセンカム部３ｂ３に形成して具える。
【００１１】
前記頭部４は、締付け面４ａに前記締付け軸２の一端に形成したピストン部２ａを軸方向にスライド自在に嵌入するシリンダー状嵌入孔４ｂを開口し、このシリンダー状嵌入孔４ｂに前記ピストン部２ａを嵌入し、このピストン部２ａにおいて、その軸方向と横断方向に開口したエキセンカム軸受孔２ａ１に、前記レバー３の軸部３ｂのエキセンカム部３ｂ３を嵌合連係し、レバー部３ａ側の大径軸部３ｂ１を頭部４の大径軸受孔４ｃ１に遊嵌軸受し、レバー部３ａ側の先端側の小径軸部３ｂ２を頭部４の小径軸受孔４ｃ２に遊嵌軸受し、レバー部３ａの小径軸部３ｂ２の先端外方の突出部３ｂ２１に外止めクリップ７を係合して組み付けてなるものである。
【００１２】
前記回止めワッシャー６は、中心に締付け軸２の嵌入孔６ａを開口し、外周縁に相互に離隔して、レバー３の軸部屈曲端側外周面３ｂ４に係合する係合溝６ｂ１を具えたレバー係止片部６ｂと、被締付け部８に形成された回止め凹陥部８ａに嵌入する回止め係合片部６ｃとを具えてなるものである。
【００１３】
この発明の誤作動防止クイックレバー締付装置１は、前述のように構成されるものであるから、例えば、前車輪と後車輪を支えるフレーム９を中間で分割した前半部９ａと後半部９ｂとを対応部で枢支し、この枢支軸１０を中心に、例えば図３に示す展開走行状態と、図４に示す折畳み縮小状態に回動自可能な折畳み自転車の締付け装置に利用した場合を説明すると、後半部９ｂの軸受筒１１に支承した締付け軸２を前半部９ａの重合連係板１２ａ、１２ｂの前記枢支軸１０を中心とする弧状孔１３ａ、１３ｂに貫通し、重合連係板１２ａ、１２ｂの両側に締付け軸２の頭部４とナット５を配置し、フレームの前半部９ａと後半部９ｂを枢支軸１０を中心に回動し、締付け軸２を頭部４とナット５と共に、弧状孔１３ａ、１３ｂに沿って回動することができ、また回止めワッシャー６を頭部４の内側に配置して、その回止め係合片部６ｃを対応する重合連係板１２ａを前記被締付け部８に相当するものとし、また、弧状孔１３ａを、前記回止め凹陥部８ａに相当するものとして嵌入すると、レバー係止片部部６ｂの係合溝６ｂ１をレバー３の軸部３ｂに係合しているから、頭部４と連係する締付け軸２をレバー３をもって軸回りに回転することができなく、どの位置でもレバー３を軸方向下側に半回転して、重合連係板１２ａ、１２ｂを締付け軸２の頭部４とナット５で挟持固定の操作を行うことができる。すなわち、図６に示すフリーの位置から図７に締付け位置へ軸方向にレバー３を半回転されると、エキセンカム部３ｂ３が半回転して頭部４に対して締付け軸２をスライドさせ、頭部４とナット５との間隔を縮小し、重合連係板１２ａ、１２ｂを挟持固定するものである。締付け力の解放は、レバー３を前記締付け挟持固定とは反対の上方に操作して行うことができる。
【００１４】
【発明の効果】
この発明の誤作動防止クイックレバー締付装置は、実施例のように、フレームの前半部と後半部を展開した走行状態での挟持固定と、フレームの前半部と後半部を枢支部を中心として展開または折曲折畳み状態に回動する時、重合連係板の弧状孔に回止めワッシャーに常時嵌入しているから、どの位置でも回り止めがなされて、また、どの位置でも締付けることができ、その利用範囲は広く、例えば、フレームを適宜に縮小した状態で押し歩き移動もでき、混雑する所および狭い駐輪場での取扱に便利である。
【００１５】
よって、この発明の誤作動防止クイックレバー締付装置は、以上のようになるから、クイックレバーの操作方法から特定されて、一般ユーザーが誤作動を起こすことを完全に防止することができるものである。
【図面の簡単な説明】
【図１】この発明の誤作動を防止したクイックレバー締付装置の全体斜視図である。
【図２】同じく、この発明の誤作動を防止したクイックレバー締付装置に使用される回止めワッシャー単体の斜視図である。
【図３】同じく、この発明の誤作動を防止したクイックレバー締付装置を実施した折畳み自転車を展開した走行状態の部分斜視図である。
【図４】同じく、折畳み自転車を縮小した折畳み状態の部分斜視図である。
【図５】同じく、折畳み自転車の折畳み枢支部における誤作動を防止するクイックレバー締付装置の配置状況の実施例を示す一部拡大断面説明図である。
【図６】同じく、誤作動を防止したクイックレバー締付装置の締付けた状態の一部拡大断面説明図である。
【図７】同じく、クイックレバー締付装置の緩めた状態の一部拡大断面説明図である。
【図８】図６のＡ−Ａ線に沿う説明断面図である。
【符号の説明】
１  クイックレバー締付装置
２  締付け軸
２ａ  ピストン部
２ａ１  エキセンカム軸受孔
２ｂ  ネジ部
３  レバー
３ａ  レバー部
３ｂ  軸部
３ｂ１  大径軸部
３ｂ２  小径軸部
３ｂ２１  突出部
３ｂ３  エキセンカム部
３ｂ４  軸部屈曲端側外周面
４  頭部
４ａ  締付け面
４ｂ  シリンダー状嵌入孔
４ｃ１  大径軸受孔
４ｃ２  小径軸受孔
５  ナット
６  回止めワッシャー
６ａ  嵌入孔
６ｂ  レバー係止片部
６ｂ１  係合溝
６ｃ  回止め係合片部
７  外止めクリップ
８  被締付け部
８ａ  回止め凹陥部
９  フレーム
９ａ  前半部
９ｂ  後半部
１０  枢支軸
１１  軸受筒
１２ａ  重合連係板
１２ｂ  重合連係板
１３ａ  弧状孔
１３ｂ  弧状孔
【図１】
0003909463.tif 000002
【図２】
0003909463.tif 000003
【図３】
0003909463.tif 000004
【図４】
0003909463.tif 000005
【図５】
0003909463.tif 000006
【図６】
0003909463.tif 000007
【図７】
0003909463.tif 000008
【図８】
0003909463.tif 000009